(57)【要約】【課題】剛性を確保すると共に軽量化が図られた光源取付部材、及び、この光源取付部材を用いた照明装置を提供すること。【解決手段】照明装置において光源となる発光体が取り付けられ、発光体を覆うカバー部材を保持する光源取付部材であって、長尺且つ矩形平板状に形成され、下面部に発光体が配置されると共に短手方向の一端の第１端縁部がカバー部材と当接する底部と、下面部とは反対側の底部の上面部から突出し、底部の長手方向に沿って設けられた１つの上側壁部と、を有するものである。【選択図】図３
2019008890.tif 000002
【特許請求の範囲】
【請求項１】
照明装置において光源となる発光体が取り付けられ、前記発光体を覆うカバー部材を保持する光源取付部材であって、
長尺且つ矩形平板状に形成され、下面部に前記発光体が配置されると共に短手方向の一端の第１端縁部が前記カバー部材と当接する底部と、
前記下面部とは反対側の前記底部の上面部から突出し、前記底部の長手方向に沿って設けられた１つの上側壁部と、
を有する光源取付部材。
【請求項２】
前記上側壁部と並列して設けられた１つの内側壁部を更に有する請求項１に記載の光源取付部材。
【請求項３】
前記上側壁部が、前記底部の短手方向の他端の第２端縁部に配置されており、前記第１端縁部と、前記上側壁部の上端部とが前記カバー部材と当接する請求項１又は２に記載の光源取付部材。
【請求項４】
前記第１端縁部と、前記底部の短手方向の他端の第２端縁部とが、前記発光体を覆う前記カバー部材と当接する請求項１に記載の光源取付部材。
【請求項５】
前記上側壁部が、前記底部の短手方向の中央に配置されている請求項４に記載の光源取付部材。
【請求項６】
前記上側壁部の一部に、切り欠きが形成されている請求項５に記載の光源取付部材。
【請求項７】
前記下面部から突出し、前記底部の長手方向に沿って設けられた１つの下側壁部を更に有する請求項１〜６のいずれか１項に記載の光源取付部材。
【請求項８】
前記下側壁部は、前記底部を介して前記上側壁部と連続して配置されている請求項７に記載の光源取付部材。
【請求項９】
前記底部の短手方向において、前記下側壁部の両側の前記下面部に前記発光体が配置される請求項８に記載の光源取付部材。
【請求項１０】
前記上面部と前記上側壁部の上端部との間の距離は、前記下面部と前記下側壁部の下端部との間の距離よりも長い請求項７〜９のいずれか１項に記載の光源取付部材。
【請求項１１】
前記下側壁部は、前記底部の短手方向の他端の第２端縁部に配置されている請求項８に記載の光源取付部材。
【請求項１２】
前記下側壁部は、前記第１端縁部に配置されている請求項８に記載の光源取付部材。
【請求項１３】
前記上側壁部の上端部又は前記底部の短手方向の他端の第２端縁部のうち前記第１端縁部と共に前記カバー部材と当接するいずれか一方と、前記第１端縁部とが、円弧状に折り返されて形成されたカール部を有している請求項３〜１１のいずれか１項に記載の光源取付部材。
【請求項１４】
前記底部は、前記下面部が凸となるように膨出すると共に前記底部の長手方向に沿って延設された膨出部を更に有する請求項１〜１３のいずれか１項に記載の光源取付部材。
【請求項１５】
請求項１〜１４のいずれか１項に記載の光源取付部材を有する照明装置。
【発明の詳細な説明】
【技術分野】
【０００１】
本発明は、光源が取り付けられる光源取付部材、及び、この光源取付部材を用いた照明装置に関するものである。
【背景技術】
【０００２】
従来より、長尺かつ矩形平板状に形成された底面部と、底面部の左右方向（幅方向）における両端から上下方向に延出する側面部とを備え、長尺方向に対する横断面が略Ｕ字状に形成された光源取付部材を有する照明装置が提供されている（例えば、特許文献１）。
【先行技術文献】
【特許文献】
【０００３】
【特許文献１】特開２０１４−０７８５１２号公報
【発明の概要】
【発明が解決しようとする課題】
【０００４】
特許文献１の照明装置は、光源を覆うカバー部材が、光源取付部材の両側面部と当接し、光源取付部材を抱え込むように取り付けられている。しかしながら、光源取付部材は、底面部の左右方向（幅方向）における両側から上下方向に延出する側面部を有しており、重量が重くなる。天井壁のように頭上の構造物に取り付けられる照明装置は、剛性を確保すると共に軽量化が図られることが望ましい。
【０００５】
本発明は、上記のような課題を解決する為になされたもので、剛性を確保すると共に軽量化が図られた光源取付部材、及び、この光源取付部材を用いた照明装置を提供するものである。
【課題を解決するための手段】
【０００６】
本発明に係る光源取付部材は、照明装置において光源となる発光体が取り付けられ、発光体を覆うカバー部材を保持する光源取付部材であって、長尺且つ矩形平板状に形成され、下面部に発光体が配置されると共に短手方向の一端の第１端縁部がカバー部材と当接する底部と、下面部とは反対側の底部の上面部から突出し、底部の長手方向に沿って設けられた１つの上側壁部と、を有するものである。
【発明の効果】
【０００７】
本発明の光源取付部材は、長尺且つ矩形平板状に形成された底部と、下面部とは反対側の底部の上面部から突出し、底部の長手方向に沿って設けられた１つの上側壁部と、を有するものである。底部から突出する側壁を有することで、長手方向の撓みを抑制して剛性を確保することができると共に、側壁が１つであるために従来技術のように底面部の両側から上下方向に延出する側面部を有する構成よりも軽量化を図る事ができる。
【図面の簡単な説明】
【０００８】
【図１】本発明の実施の形態１に係る光源取付部材を備えた照明装置の斜視図である。
【図２】本発明の実施の形態１に係る光源取付部材を備えた照明装置の底面図である。
【図３】図２の照明装置のＡ−Ａ線断面図である。
【図４】図１の照明装置の分解斜視図である。
【図５】図４の照明装置の装置本体の斜視図である。
【図６】図４の装置本体に配設されるバネの斜視図である。
【図７】図４の照明装置の光源ユニットの部分斜視図である。
【図８】図４の光源ユニットに配設される連結金具の斜視図である。
【図９】図３の光源ユニットの部分拡大図である。
【図１０】図４の照明装置の蓋体を外した光源ユニットの部分斜視図である。
【図１１】本発明の実施の形態１に係る光源取付部材の斜視図である。
【図１２】本発明の実施の形態１に係る光源取付部材の裏面の斜視図である。
【図１３】図２のＡ−Ａ断面における光源取付部材の概略図である。
【図１４】本発明の実施の形態１に係る光源取付部材の変形例を示す断面図である。
【図１５】本発明の実施の形態２に係る光源取付部材の概略断面図である。
【図１６】本発明の実施の形態３に係る光源取付部材の概略断面図である。
【図１７】本発明の実施の形態４に係る光源取付部材の概略断面図である。
【図１８】本発明の実施の形態５に係る光源取付部材の概略断面図である。
【図１９】本発明の実施の形態６に係る光源取付部材の概略断面図である。
【図２０】本発明の実施の形態７に係る光源取付部材の概略断面図である。
【図２１】図２０の光源取付部材の側面図である。
【図２２】本発明の実施の形態８に係る光源取付部材の概略断面図である。
【図２３】図２２の光源取付部材の側面図である。
【発明を実施するための形態】
【０００９】
以下、本発明における照明装置１について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。そして、明細書全文に表わされている構成要素の形態は、あくまでも例示であって、これらの記載に限定されるものではない。さらに、以下の説明において、上、下といった方向あるいは位置が示されている場合、それらの表記は、説明の便宜上、そのように記載しているだけであって、装置あるいは部品の配置及び向きを限定するものではない。
【００１０】
実施の形態１．
図１は、本発明の実施の形態１に係る光源取付部材２２０を備えた照明装置１の斜視図である。図２は、本発明の実施の形態１に係る光源取付部材２２０を備えた照明装置１の底面図である。まず、図１及び図２を参照して、本発明の実施の形態１に係る光源取付部材２２０を備えた照明装置１の全体構成を説明する。なお、以下の説明において、長手方向を長手方向Ｘ、長手方向Ｘに対する短手方向を短手方向Ｙとし、長手方向Ｘ及び短手方向Ｙのそれぞれに直交する方向を上下方向Ｚとする。また、照明装置１が取り付けられる天井などの被取付面側を上方向Ｚ１とし、上方向Ｚ１と反対側であり照明装置１が照射する側を下方向Ｚ２とする。
【００１１】
照明装置１は、長尺状の装置本体１００と、装置本体１００に着脱自在に取り付けられる長尺状の光源ユニット２００とを備えている。
【００１２】
図３は、図２の照明装置１のＡ−Ａ線断面図である。図４は、図１の照明装置１の分解斜視図である。図５は、図４の照明装置１の装置本体１００の斜視図である。図３〜図５を参照して照明装置１の各部の構成を説明する。
【００１３】
［装置本体１００］
装置本体１００は、図３に示すように、ボルト１１５などの固定具を用いて天井Ｃなどの被取付部に取り付けられる。装置本体１００は、図４に示すように、光源ユニット２００の一部が挿入されて取り付けられる取付部１１０と、取付部１１０の長手端部を覆う側板１２０とを備える。また、装置本体１００は、装置本体１００の外部から引き込まれた図示しない電源線が挿し込まれる端子台１３０と、光源ユニット２００を保持する為のバネ１４０とを備えている。
【００１４】
（取付部）
取付部１１０は、図３及び図４に示すように、長手方向Ｘに沿って凹部として構成された収容凹部１１１と、短手方向Ｙにおいて収容凹部１１１の両側に設けられる鍔部１１２と、傾斜部１１３とを備えている。
【００１５】
収容凹部１１１は、図３及び図５に示すように、長手方向Ｘに沿って長尺且つ矩形平板状に形成された底部１１１ａと、底部１１１ａの長手側辺のそれぞれから下側（Ｚ２側）へ延出する一対の側部１１１ｂとを有する。収容凹部１１１は、底部１１１ａと側部１１１ｂとを有することで凹形状をなし、光源ユニット２００の一部を収納する。収容凹部１１１は、上下方向（Ｚ軸方向）において、側部１１１ｂの一端側に底部１１ａが位置しており、側部１１１ｂの他端側に光源ユニット２００が挿入される開口１１１ｃが形成されている。
【００１６】
底部１１１ａには、図５に示すように、商用電源と接続する電源線を引き込むための電源引込孔１１１ａａと、ボルトなどの固定具により装置本体１００を天井などの被取付部へ固定するための固定孔１１１ａｂとが形成されている。
【００１７】
鍔部１１２は、図３に示すように、一対の側部１１１ｂの、長手側辺のそれぞれから互いに離れるように形成されている。
【００１８】
傾斜部１１３は、図３に示すように、短手方向Ｙにおいて収容凹部１１１の両側に設けられており、鍔部１１２の長手側辺のそれぞれから、上側（Ｚ１側）へ且つ収容凹部１１１から離れるように形成されている。
【００１９】
（側板）
側板１２０は、図４に示すように、長手方向Ｘにおける取付部１１０の両端に配設されており、収容凹部１１１及び傾斜部１１３の両端部と当接している。また、側板１２０は、図５に示すように、収容凹部１１１及び傾斜部１１３の長手方向Ｘの端部を覆う側板本体部１２１と、側板本体部１２１の下側（Ｚ２側）の側辺から側板本体部１２１に対して略垂直になるように突出した側板鍔部１２２とを有している。
【００２０】
（端子台）
端子台１３０は、図５に示すように、収容凹部１１１の底部１１１ａに固定されており、電源引込孔１１１ａａから引き込まれた図示しない電源線と接続し、商用電源から供給される電力を光源ユニット２００に供給する。端子台１３０は、矩形箱状に形成された端子台本体部１３１と、光源ユニット２００に電気的に接続する為の端子台接続部１３２とを備えている。なお、図５に示す端子台本体部１３１の形状は一例であり、例えば、円柱状、多角柱状等他の形状で形成されていてもよい。端子台接続部１３２は、端子台電線１３２ａと、端子台電線１３２ａの先端に設けられた端子台コネクタ１３２ｂとを備えている。
【００２１】
（バネ）
バネ１４０は、図４及び図５に示すように、長手方向Ｘに沿って対になるように、収容凹部１１１の底部１１１ａに２つ配設されている。バネ１４０は、光源ユニット２００を装置本体１００に取り付けるための取付機構の１つであり、図４に記載の光源ユニット２００に設けられた連結金具２６０と係合するものである。バネ１４０は、ステンレス材料や、バネ鋼材などの弾性材料で形成される。
【００２２】
図６は、図４の装置本体１００に配設されるバネ１４０の斜視図である。バネ１４０は、図６に示すように、バネ１４０の一端に設けられたバネ固定部１４１と、バネ１４０の他端に設けられたバネ先端部１４３と、バネ固定部１４１とバネ先端部１４３との間に設けられたバネ円弧部１４２と、を有する。バネ固定部１４１には、貫通孔部１４１ａが形成されている。バネ固定部１４１は、例えば図５に示すように、貫通孔部１４１ａにネジが挿入され、装置本体１００の底部１１１ａに、ネジ止めされて固定される。バネ円弧部１４２は、底部１１１ａから離れるように円弧形状に形成されている。バネ先端部１４３は、円弧形状に形成されたバネ円弧部１４２の内壁側に曲折して形成されており、図４に示す連結金具２６０が引っ掛けられる。また、対になるバネ１４０は、バネ先端部１４３が互いに反対方向を向くように底部１１１ａに配設されている。なお、バネ１４０は、板材の弾性材料を曲げて形成しても良く、線材の弾性材料を曲げて形成してもよい。
【００２３】
［光源ユニット］
図７は、図４の照明装置１の光源ユニット２００の部分斜視図である。次に、図３〜図７を参照して、光源ユニット２００の全体構成を説明する。
【００２４】
光源ユニット２００は、光源ユニット２００の長手方向Ｘの端部に配設される図４及び図７に示す蓋体２４０と、図３に示す発光体２１０に所定の点灯電力を供給する電源装置２５０と、バネ１４０と係合する図４に示す連結金具２６０とを備えている。また、光源ユニット２００は、図３に示すように、発光体２１０と、この発光体２１０が取り付けられる光源取付部材２２０と、発光体２１０を覆うようにして光源取付部材２２０に取り付けられるカバー部材２３０とを備えている。
【００２５】
（蓋体）
蓋体２４０は、光源ユニット２００の長手方向Ｘにおける端部に設けられ、カバー部材２３０の長手方向Ｘの開口を塞ぐとともに、発光体２１０が照射する光を長手方向Ｘへ配光するものである。蓋体２４０は、アクリル樹脂など透過性、拡散性を有する材料により形成されており、カバー部材２３０と接着剤、熱溶着などの接合手段により接合されている。なお、蓋体２４０は、カバー部材２３０の長手方向Ｘの開口を塞ぐものであればよく、光を透過しない材料で構成されてもよい。
【００２６】
（電源装置）
電源装置２５０は、図３及び図４に示すように、後述する光源取付部材２２０の発光体２１０が配置された底部２２１の下面部２２１ａとは反対側の、底部２２１の上面部２２１ｂに固定される。電源装置２５０は、図５に示す端子台１３０を介して商用電源からの電力を発光体２１０に供給し、発光体２１０を点灯させるものである。
【００２７】
（連結金具）
図８は、図４の光源ユニット２００に配設される連結金具２６０の斜視図である。連結金具２６０は、光源ユニット２００を装置本体１００に取り付ける取付機構の１つであり、バネ１４０と係合するものである。連結金具２６０は、略Ｌ字形状をしており、金具固定部２６１と、バネ連結部２６２とを備えている。金具固定部２６１は、底部２２１にネジなどで固定される部分である。バネ連結部２６２には、バネ１４０のバネ先端部１４３が引っ掛けられる貫通孔である連結開口部２６２ａが形成されている。光源ユニット２００は、連結開口部２６２ａとバネ１４０のバネ先端部１４３とが係合し、装置本体１００に固定される。
【００２８】
（発光体）
図９は、図３の光源ユニット２００の部分拡大図である。図１０は、図４の照明装置１の蓋体２４０を外した光源ユニット２００の部分斜視図である。図１１は、本発明の実施の形態１に係る光源取付部材２２０の斜視図である。図１２は、本発明の実施の形態１に係る光源取付部材２２０の裏面の斜視図である。なお、図１１に示す点線は、裏面に配置された発光体２１０の位置を表すものである。図９〜図１２を参照して、光源ユニット２００の構成を更に説明する。図９及び図１０に示すように、光源ユニット２００は、光源取付部材２２０の下方（Ｚ２方向）にカバー部材２３０が配置され、図１１及び図１２に示すように、光源取付部材２２０のカバー部材側の面には発光体２１０が配設されている。
【００２９】
発光体２１０は、図１２に示すように、長尺且つ矩形平板状に形成された基板２１１と、基板２１１の長手方向Ｘに沿って直線状に実装される複数の発光素子２１２とを備えている。発光体２１０の基板２１１は、図９及び図１２に示すように、光源取付部材２２０を構成する底部２２１のカバー部材２３０と対向する下面部２２１ａに配置されている。発光素子２１２は、基板２１１の短手方向Ｙにおいて１つ設けられている。発光体２１０の長手方向の一端部には、図３に示す電源装置２５０との間を電気的に接続するための図示しない電線が接続されている。この電線が電源装置２５０と接続することで、発光体２１０と電源装置２５０とが電気的に接続される。なお、発光素子２１２は、例えば表面実装タイプのＬＥＤ素子であるが、ＣＯＢ型のＬＥＤモジュールでもよい。また、発光素子２１２は、固体レーザ素子、半導体レーザ素子、有機ＥＬ素子でもよい。なお、発光素子２１２は、短手方向Ｙにおいて１つ設けられている例を示したが、発光素子２１２は、短手方向Ｙにおいて複数設けられてもよい。また、発光素子２１２を備えた基板２１１が、光源取付部材２２０の短手方向Ｙにおいて複数設けられてもよい。また、発光素子２１２を備えた基板２１１が、光源取付部材２２０の長手方向Ｘにおいて複数設けられてもよい。
【００３０】
（光源取付部材）
光源取付部材２２０は、照明装置１において光源となる発光体２１０が取り付けられ、発光体２１０を覆うカバー部材２３０を保持するものである。光源取付部材２２０は、例えば鋼板で構成され、ロール加工等により曲げられて形成される。あるいは、光源取付部材２２０は、押し出し成形により形成される。光源取付部材２２０は、図９〜図１２に示すように、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材２２０は、発光体２１０が配置される底部２２１の下面部２２１ａとは反対側の底部２２１の上面部２２１ｂから突出し、底部２２１の長手方向Ｘに沿って設けられた１つの上側壁部２２２を有する。上側壁部２２２は、板状に形成されている。また、上側壁部２２２は、底部２２１の長手方向の全長に連なって設けられてもよく、底部２２１の長手方向の一部に設けられてもよい。また、上側壁部２２２は、上側壁部２２２の一部に切り欠きが形成されてもよい。
【００３１】
図１３は、図２のＡ−Ａ断面における光源取付部材２２０の概略図である。光源取付部材２２０は、底部２２１の短手方向Ｙの一端の第１端縁部２２１ｆと他端の第２端縁部２２１ｒにおいて、上側壁部２２２が、底部２２１の短手方向Ｙの第２端縁部２２１ｒに配置されている。すなわち、光源取付部材２２０は、上側壁部２２２が、底部２２１の短手方向Ｙの第２端縁部２２１ｒから立ち上がるように突出しており、光源取付部材２２０の長手方向に対する垂直断面が、略Ｌ字形状に形成されている。底部２２１の短手方向Ｙの一端の第１端縁部２２１ｆと、上側壁部２２２の上端部２２２ｃとが発光体２１０を覆うカバー部材２３０と当接し、光源取付部材２２０は、カバー部材２３０を保持する。
【００３２】
図９〜図１２に戻り、光源取付部材２２０は、第１端縁部２２１ｆが円弧状に折り返されて形成されたカール部２２１ｅを有してもよい。また、光源取付部材２２０は、上端部２２２ｃが、円弧状に折り返されて形成されたカール部２２２ｅを有してもよい。光源取付部材２２０は、カール部２２１ｅ及びカール部２２２ｅを設けることで底部２２１に対して、長手方向の撓みを抑制できるだけの縦弾性係数を確保することができ、光源取付部材２２０の剛性を確保することができる。
【００３３】
第１端縁部２２１ｆのカール部２２１ｅは、底部２２１の端縁部が発光体２１０が配置されている下面部２２１ａ側に折り返される外巻き形状に形成されることが望ましい。また、上側壁部２２２のカール部２２２ｅは、上側壁部２２２の端縁部が発光体２１０が配置されている下面部２２１ａ側に折り返される外巻き形状に形成されることが望ましい。カール部２２１ｅ及びカール部２２２ｅが内巻き形状で形成されると、光源取付部材２２０の壁面とカバー部材２３０の壁面とが面接触することで接触面積が大きくなるので、最大静止摩擦力及び動摩擦力が大きくなる。このため、膨張係数が異なる光源取付部材２２０の壁面とカバー部材２３０の壁面とが互いにずれ始める際の膨張収縮音（きしみ音）が生じやすくなる傾向がある。あるいは、光源取付部材２２０の壁面とカバー部材２３０の壁面とが擦れる音（摺動音）が生じやすくなる傾向がある。なお、膨張収縮音（きしみ音）とは、膨張係数が異なる光源取付部材２２０とカバー部材２３０とが、異なる量で膨張し続け、最大静止摩擦力による接触から解放された瞬間に発生する音である。膨張収縮音（きしみ音）は、例えば、「パチンッ、バチンッ」といったように弾けるように乾いた音として認識される。また、摺動音とは、膨張係数が異なる光源取付部材２２０とカバー部材２３０とが、異なる量で膨張し続け、動摩擦力を受けながら光源取付部材２２０の壁面とカバー部材２３０の壁面とが、擦れあう時に発生する音である。一方、カール部２２１ｅ及びカール部２２２ｅが外巻き形状で形成されるとカール部２２２ｅの円弧部分とカバー部材２３０の壁面とが点接触することで光源取付部材２２０とカバー部材２３０との接触面積が小さくなり膨張収縮音（きしみ音）、あるいは摺動音が生じにくくなる傾向がある。カール部２２１ｅ及びカール部２２２ｅは、光源取付部材２２０の長手方向Ｘに沿って第１端縁部２２１ｆ及び上側壁部２２２に連続して形成されてもよく、分断して形成されてもよく、一部に形成されてもよい。なお、光源取付部材２２０は、カール部２２１ｅ及びカール部２２２ｅが形成されていることが望ましいが、光源取付部材２２０はカール部２２１ｅ及びカール部２２２ｅが形成されていなくてもよい。また、光源取付部材２２０はカール部２２１ｅ及びカール部２２２ｅのいずれか一方が形成されていてもよい。
【００３４】
（カバー部材）
カバー部材２３０は、発光体２１０を覆うように長尺に形成され、光源取付部材２２０の側端に取り付けられる。カバー部材２３０は、乳白色のアクリル樹脂など拡散性を有する材料により形成され、発光体２１０から照射される光を拡散するものである。カバー部材２３０は、図９に示すように、短手方向Ｙにおいて、カバー正面部２３１と、カバー側面部２３２と、カバー底部２３３と、カバー係合部２３４とを有している。
【００３５】
カバー正面部２３１は、円弧形状であり、発光体２１０を覆っている。カバー正面部２３１は、短手方向Ｙの断面が円弧形状であるが、他の形状であってもよい。例えば、カバー正面部２３１は、短手方向Ｙの断面が、平板形状、三角形状、四角形状、その他の多角形状であってもよい。あるいは、カバー正面部２３１は、単数又は複数の平面から形成される平面形状又は多面体形状であっても良く、単数又は複数の曲面から形成される形状であってもよい。カバー側面部２３２は、カバー正面部２３１の長手方向を構成する側端の各端部より底部２２１側、すなわち上側（Ｚ１側）に立ち上がるように設けられている。カバー底部２３３は、それぞれのカバー側面部２３２の上端部から互いに近づくように形成されている。カバー部材２３０は、カバー正面部２３１、カバー側面部２３２、カバー底部２３３が長手方向Ｘへ連続するように形成されている。
【００３６】
カバー底部２３３には、光源取付部材２２０が係合されるカバー係合部２３４が設けられている。カバー係合部２３４は、平板部２３４ａと、立設部２３４ｂ１とを有する。平板部２３４ａは、カバー部材２３０の短手方向Ｙの一方の側に位置するカバー底部２３３から短手方向Ｙに延びるように形成されている。立設部２３４ｂ１は、カバー部材２３０の短手方向Ｙの他方の側に位置するカバー底部２３３から上方向（Ｚ１方向）に延びるように形成されている。立設部２３４ｂ１の上端部には、端部が光源取付部材２２０側に向くように円弧状に曲がった曲折部２３４ｂ２が形成されている。また、カバー部材２３０は、カバー係合部２３４が、カバー部材２３０の長手方向Ｘに沿ってカバー底部２３３に連続して形成されてもよく、分断されて形成されてもよく、一部に形成されてもよい。
なお、カバー部材２３０のカバー係合部２３４は、後述する光源取付部材の実施に係る形態によって、平板部２３４ａと、立設部２３４ｂ１とを有する代わりに、短手方向Ｙにおいて平板部２３４ａを対向するように設けてもよい。
【００３７】
平板部２３４ａの下方に光源取付部材２２０の第１端縁部２２１ｆが配置され、曲折部２３４ｂ２の下方に光源取付部材２２０の上端部２２２ｃが配置されることで、カバー部材２３０は、光源取付部材２２０と係合する。なお、図９のように、光源取付部材２２０にカール部２２１ｅ及びカール部２２２ｅが形成されている場合は、カール部２２１ｅが平板部２３４ａと当接し、カール部２２２ｅが曲折部２３４ｂ２と当接する。カール部２２１ｅが平板部２３４ａと当接し、カール部２２２ｅが曲折部２３４ｂ２と当接することでカバー部材２３０は、光源取付部材２２０と係合する。カバー部材２３０は、光源取付部材２２０の長手側端部に係合させることで、光源取付部材２２０に固定される。カバー部材２３０が光源取付部材２２０に固定されると、底部２２１及びカバー底部２３３は、光源ユニット２００の底壁部を構成する。また、カバー正面部２３１およびカバー側面部２３２は、発光素子２１２からの光を出射する部分となる。
【００３８】
以上のように、光源取付部材２２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材２２０は、発光体２１０が配置される底部２２１の下面部２２１ａとは反対側の底部２２１の上面部２２１ｂから突出し、底部２２１の長手方向Ｘに沿って設けられた１つの上側壁部２２２を有する。その結果、光源取付部材２２０は、底部２２１から突出する側壁を有することで長手方向の撓みを抑制して剛性を確保できると共に、側壁が１つであるために従来技術のように底面部の両側から上下方向に延出する側面部を有する構成よりも軽量化を図る事ができる。また、光源取付部材２２０は、従来技術のように底面部の長手方向側面の両辺に側壁を有する構成よりも材料費を抑制する事ができる。さらに、光源取付部材２２０は、従来技術のように底面部の長手方向側面の両辺に側壁を有する構成よりも、加工工程を少なくできるので加工費及び加工時間を抑制することができる。
【００３９】
また、光源取付部材２２０は、上側壁部２２２が、底部２２１の短手方向Ｙの他端の第２端縁部２２１ｒに配置されており、第１端縁部２２１ｆと、上側壁部２２２の上端部２２２ｃとがカバー部材２３０と当接する。すなわち、光源取付部材２２０は、上側壁部２２２が、底部２２１の短手方向Ｙの第２端縁部２２１ｒから立ち上がるように突出しており、光源取付部材２２０の長手方向に対する垂直断面が、略Ｌ字形状に形成されている。従来技術のように底面部の長手方向側面の両辺に側壁を有する構成では、対向する側壁に遮られ配線及び部品の取り付け作業が難しくなる。光源取付部材２２０は、光源取付部材２２０の長手方向に対する垂直断面が、略Ｌ字形状に形成されているため、作業者は、フレームの側壁に遮られることなく配線及び部品を取り付けることができ、組立時の作業性が向上する。また、光源取付部材２２０は、光源取付部材２２０の長手方向に対する垂直断面が、略Ｌ字形状に形成されているため、作業者による光源取付部材２２０へのカバー部材２３０の取り付け作業が容易になる。
【００４０】
また、光源取付部材２２０は、上側壁部２２２が、底部２２１の短手方向Ｙの第２端縁部２２１ｒに配置されている。すなわち、光源取付部材２２０は、上側壁部２２２が、底部２２１の短手方向Ｙの第２端縁部２２１ｒから立ち上がるように突出しており、光源取付部材２２０の長手方向に対する垂直断面が、略Ｌ字形状に形成されている。光源取付部材２２０は、短手方向Ｙにおいて、上側壁部２２２を有さない側の底部２２１の上面部２２１ｂが平らに形成されているため、他の部品の配置に使用できる空間を確保することができる。
【００４１】
また、光源取付部材２２０は、第１端縁部２２１ｆが円弧状に折り返されて形成されたカール部２２１ｅを有してもよい。また、光源取付部材２２０は、上端部２２２ｃが、円弧状に折り返されて形成されたカール部２２２ｅを有してもよい。光源取付部材２２０は、カール部２２１ｅ及びカール部２２２ｅを設けることで底部２２１に対して、長手方向の撓みを抑制できるだけの縦弾性係数を確保することができ、光源取付部材２２０の剛性を確保することができる。また、カール部２２１ｅ及びカール部２２２ｅは円弧形状のため、円弧形状の一部がカバー部材２３０のカバー係合部２３４と当接する。その結果、光源取付部材２２０とカバー部材２３０との接触面積が少なくなり、光源取付部材２２０とカバー部材２３０との接触部から発生する膨張収縮音（きしみ音）、あるいは摺動音を低減することができる。
【００４２】
また、照明装置１は、光源取付部材２２０を有しているので、長手方向の撓みを抑制して剛性を確保することができると共に、軽量化を図る事ができる。また、照明装置１は、光源取付部材２２０を有しているので、従来技術のように底面部の長手方向側面の両辺に側壁を有する構成よりも材料費を抑制する事ができる。さらに、照明装置１は、光源取付部材２２０を有しているので、従来技術のように底面部の長手方向側面の両辺に側壁を有する構成よりも、加工工程を少なくできるので加工費及び加工時間を抑制することができる。また、照明装置１は、光源取付部材２２０を有しているので、作業者は、フレームの側壁に遮られることなく配線及び部品を取り付けることができ、組立時の作業性が向上する。また、照明装置１は、光源取付部材２２０を有しているので、光源取付部材２２０において他の部品の配置に使用できる空間を確保することができる。また、照明装置１は、光源取付部材２２０を有しているので、光源取付部材２２０とカバー部材２３０との接触部から発生する膨張収縮音（きしみ音）、あるいは摺動音を低減することができる。
【００４３】
図１４は、本発明の実施の形態１に係る光源取付部材２２０の変形例を示す断面図である。図１〜図１３の照明装置１と同一の構成を有する部位には同一の符号を付してその説明を省略する。光源取付部材２２０Ａは、底部２２１Ａが、下面部２２１ａが凸となるように膨出すると共に、底部２２１Ａの長手方向に沿って延設された膨出部２２５を有する。膨出部２２５は、底部２２１Ａの短手方向Ｙにおいて、底部２２１Ａの第１端縁部２２１ｆ側に形成され、第１端縁部２２１ｆに沿って形成されていることが望ましい。なお、膨出部２２５は、底部２２１Ａの長手方向に沿って連なって設けられてもよく、底部２２１Ａの長手方向に沿って分断して設けられてもよく、あるいは、底部２２１の長手方向の一部に設けられてもよい。
【００４４】
以上のように、光源取付部材２２０Ａは、底部２２１Ａの下面部２２１ａが凸となるように膨出すると共に底部２２１Ａの長手方向に沿って延設された膨出部２２５を有している。そのため、光源取付部材２２０Ａ及び照明装置１は、底部２２１が、長手方向の撓みを抑制できるだけの縦弾性係数を確保することができ、光源取付部材２２０Ａの剛性を確保することができる。
【００４５】
実施の形態２．
図１５は、本発明の実施の形態２に係る光源取付部材３２０の概略断面図である。図１〜図１４の照明装置１と同一の構成を有する部位には同一の符号を付してその説明を省略する。本発明の実施の形態２に光源取付部材３２０では、発明の実施の形態１に係る光源取付部材２２０と異なる形状部分を主に説明する。
【００４６】
光源取付部材３２０は、照明装置１において光源となる発光体２１０が取り付けられ、発光体２１０を覆うカバー部材２３０を保持するものである。光源取付部材３２０は、例えば鋼板で構成され、ロール加工等により曲げられて形成される。あるいは、光源取付部材３２０は、押し出し成形により形成される。光源取付部材３２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材３２０は、図１５に示すように、発光体２１０が配置される底部２２１の下面部２２１ａとは反対側の底部２２１の上面部２２１ｂから突出し、底部２２１の長手方向Ｘに沿って設けられた１つの上側壁部３２２を有する。上側壁部３２２は、板状に形成されている。また、上側壁部３２２は、底部２２１の長手方向の全長に連なって設けられてもよく、底部２２１の長手方向の一部に設けられてもよい。また、上側壁部３２２は、上側壁部３２２の一部に切り欠きが形成されてもよい。
【００４７】
光源取付部材３２０は、底部２２１の短手方向Ｙの一端の第１端縁部２２１ｆと他端の第２端縁部２２１ｒの間において、上側壁部３２２が、第２端縁部２２１ｒ側の底部２２１から立ち上がるように突出している。上側壁部３２２は、第２端縁部２２１ｒに配置されておらず、第１端縁部２２１ｆと、第２端縁部２２１ｒとが、発光体２１０を覆うカバー部材２３０と当接することで、光源取付部材３２０は、カバー部材２３０を保持する。
【００４８】
光源取付部材３２０は、第１端縁部２２１ｆが円弧状に折り返されて形成されたカール部２２１ｅを有してもよい。また、光源取付部材３２０は、第２端縁部２２１ｒが、円弧状に折り返されて形成されたカール部２２１ｅを有してもよい。光源取付部材３２０は、カール部２２１ｅを設けることで底部２２１に対して、長手方向の撓みを抑制できるだけの縦弾性係数を確保することができ、光源取付部材３２０の剛性を確保することができる。カール部２２１ｅは、光源取付部材３２０の長手方向Ｘに沿って第１端縁部２２１ｆ及び第２端縁部２２１ｒに連続して形成されてもよく、分断して形成されてもよく、一部に形成されてもよい。なお、光源取付部材３２０は、カール部２２１ｅが形成されていることが望ましいが、光源取付部材３２０はカール部２２１ｅが形成されていなくてもよい。
【００４９】
以上のように、光源取付部材３２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材３２０は、発光体２１０が配置される底部２２１の下面部２２１ａとは反対側の底部２２１の上面部２２１ｂから突出し、底部２２１の長手方向Ｘに沿って設けられた１つの上側壁部３２２を有する。その結果、光源取付部材３２０は、底部２２１から突出する側壁を有することで長手方向の撓みを抑制して剛性を確保できると共に、側壁が１つであるために従来技術のように底面部の両側から上下方向に延出する側面部を有する構成よりも軽量化を図る事ができる。また、光源取付部材３２０は、従来技術のように底面部の長手方向側面の両辺に側壁を有する構成よりも材料費を抑制する事ができる。さらに、光源取付部材３２０は、従来技術のように底面部の長手方向側面の両辺に側壁を有する構成よりも、加工工程を少なくできるので加工費及び加工時間を抑制することができる。
【００５０】
また、光源取付部材３２０は、上側壁部３２２が、第２端縁部２２１ｒに配置されておらず、第１端縁部２２１ｆと、第２端縁部２２１ｒとが、発光体２１０を覆うカバー部材２３０と当接することで、光源取付部材３２０は、カバー部材２３０を保持する。その結果、照明装置１は、カバー部材２３０のカバー係合部２３４の構造を対称にすることができ、カバー部材２３０の成形性を改善することができる。また、光源取付部材３２０は、従来技術のように底面部の長手方向側面の両辺に側壁を有する構成と比べて、カバー部材２３０の取り付け作業が容易になる。
【００５１】
また、光源取付部材３２０は、発光体２１０が配置される底部２２１の下面部２２１ａとは反対側の底部２２１の上面部２２１ｂから突出し、底部２２１の長手方向Ｘに沿って設けられた１つの上側壁部３２２を有する。従来技術のように底面部の長手方向側面の両辺に側壁を有する構成では、対向する側壁に遮られ配線及び部品の取り付け作業が難しくなる。光源取付部材３２０は、側壁が１つであるため、作業者は、フレームの対向する側壁に遮られることなく配線及び部品を取り付けることができ、組立時の作業性が向上する。
【００５２】
また、光源取付部材３２０は、発光体２１０が配置される底部２２１の下面部２２１ａとは反対側の底部２２１の上面部２２１ｂから突出し、底部２２１の長手方向Ｘに沿って設けられた１つの上側壁部３２２を有する。光源取付部材３２０は、短手方向Ｙにおいて、上側壁部３２２を有さない側の底部２２１の上面部２２１ｂが平らに形成されているため、他の部品の配置に使用できる空間を確保することができる。
【００５３】
また、光源取付部材３２０は、第１端縁部２２１ｆ及び第２端縁部２２１ｒが円弧状に折り返されて形成されたカール部２２１ｅを有してもよい。光源取付部材３２０は、カール部２２１ｅを設けることで底部２２１に対して、長手方向の撓みを抑制できるだけの縦弾性係数を確保することができ、光源取付部材３２０の剛性を確保することができる。また、カール部２２１ｅは円弧形状のため、円弧形状の一部がカバー部材２３０のカバー係合部２３４と当接する。その結果、光源取付部材３２０とカバー部材２３０との接触面積が少なくなり、光源取付部材３２０とカバー部材２３０との接触部から発生する膨張収縮音（きしみ音）、あるいは摺動音を低減することができる。
【００５４】
また、照明装置１は、光源取付部材３２０を有しているので、長手方向の撓みを抑制して剛性を確保することができると共に、軽量化を図る事ができる。また、照明装置１は、光源取付部材３２０を有しているので、従来技術のように底面部の長手方向側面の両辺に側壁を有する構成よりも材料費を抑制する事ができる。さらに、照明装置１は、光源取付部材３２０を有しているので、従来技術のように底面部の長手方向側面の両辺に側壁を有する構成よりも、加工工程を少なくできるので加工費及び加工時間を抑制することができる。また、照明装置１は、光源取付部材３２０を有しているので、カバー部材２３０のカバー係合部２３４の構造を対称にすることができ、カバー部材２３０の成形性を改善することができる。また、照明装置１は、光源取付部材３２０を有しているので、作業者は、フレームの側壁に遮られることなく配線及び部品を取り付けることができ、組立時の作業性が向上する。また、照明装置１は、光源取付部材３２０を有しているので、光源取付部材３２０において他の部品の配置に使用できる空間を確保することができる。また、照明装置１は、光源取付部材３２０を有しているので、光源取付部材３２０とカバー部材２３０との接触部から発生する膨張収縮音（きしみ音）、あるいは摺動音を低減することができる。
【００５５】
実施の形態３．
図１６は、本発明の実施の形態３に係る光源取付部材４２０の概略断面図である。図１〜図１５の照明装置１と同一の構成を有する部位には同一の符号を付してその説明を省略する。本発明の実施の形態３に光源取付部材４２０では、発明の実施の形態１に係る光源取付部材２２０と異なる形状部分を主に説明する。
【００５６】
光源取付部材４２０は、照明装置１において光源となる発光体２１０が取り付けられ、発光体２１０を覆うカバー部材２３０を保持するものである。光源取付部材４２０は、例えば鋼板で構成され、ロール加工等により曲げられて形成される。あるいは、光源取付部材４２０は、押し出し成形により形成される。光源取付部材４２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材４２０は、発光体２１０が配置される底部２２１の下面部２２１ａとは反対側の底部２２１の上面部２２１ｂから突出し、底部２２１の長手方向Ｘに沿って設けられた１つの上側壁部４２２を有する。上側壁部４２２は、板状に形成されている。また、上側壁部４２２は、底部２２１の長手方向の全長に連なって設けられてもよく、底部２２１の長手方向の一部に設けられてもよい。また、上側壁部４２２は、上側壁部４２２の一部に切り欠きが形成されてもよい。光源取付部材４２０は、底部２２１の短手方向Ｙの一端の第１端縁部２２１ｆと他端の第２端縁部２２１ｒにおいて、上側壁部４２２が、底部２２１の短手方向Ｙの第２端縁部２２１ｒに配置されている。すなわち、光源取付部材４２０は、上側壁部４２２が、底部２２１の短手方向Ｙの第２端縁部２２１ｒから立ち上がるように突出している。底部２２１の短手方向Ｙの一端の第１端縁部２２１ｆと、上側壁部４２２の上端部４２２ｃとが発光体２１０を覆うカバー部材２３０と当接し、光源取付部材４２０は、カバー部材２３０を保持する。
【００５７】
光源取付部材４２０は、底部２２１の下面部２２１ａから突出し、底部２２１の長手方向Ｘに沿って設けられた１つの下側壁部４２３を有する。下側壁部４２３は、板状に形成されている。下側壁部４２３は、底部２２１の短手方向Ｙの第２端縁部２２１ｒに配置されている。また、下側壁部４２３は、底部２２１を介して上側壁部４２２と連続して配置されている。また、下側壁部４２３は、底部２２１の長手方向の全長に連なって設けられてもよく、底部２２１の長手方向の一部に設けられてもよい。また、下側壁部４２３は、下側壁部４２３の一部に切り欠きが形成されてもよい。
【００５８】
光源取付部材４２０は、上面部２２１ｂと上側壁部４２２の上端部４２２ｃとの間の距離ＵＬが、下面部２２１ａと下側壁部４２３の下端部４２３ｃとの間の距離ＤＬよりも長い。下側壁部４２３は、発光体２１０の発する光を遮らない位置に設けられることが望ましく、そして、下面部２２１ａと下側壁部４２３の下端部４２３ｃとの間の距離ＤＬは、発光体２１０の発する光を遮らないように設定することが望ましい。光源取付部材４２０は、上側壁部４２２の距離ＵＬが下側壁部４２３の距離ＤＬよりも長いため、発光体２１０の発する光を遮ることなく、光源取付部材４２０の長手方向の撓みを抑制して剛性を確保することができる。
【００５９】
光源取付部材４２０は、第１端縁部２２１ｆが円弧状に折り返されて形成されたカール部２２１ｅを有してもよい。また、光源取付部材４２０は、上端部４２２ｃが、円弧状に折り返されて形成されたカール部２２２ｅを有してもよい。光源取付部材４２０は、カール部２２１ｅ及びカール部２２２ｅを設けることで底部２２１に対して、長手方向の撓みを抑制できるだけの縦弾性係数を確保することができ、光源取付部材４２０の剛性を確保することができる。また、カール部２２１ｅ及びカール部２２２ｅは円弧形状のため、円弧形状の一部がカバー部材２３０のカバー係合部２３４と当接する。その結果、光源取付部材４２０とカバー部材２３０との接触面積が少なくなり、光源取付部材４２０とカバー部材２３０との接触部から発生する膨張収縮音（きしみ音）、あるいは摺動音を低減することができる。
【００６０】
以上のように、光源取付部材４２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材４２０は、発光体２１０が配置される底部２２１の下面部２２１ａとは反対側の底部２２１の上面部２２１ｂから突出し、底部２２１の長手方向Ｘに沿って設けられた１つの上側壁部４２２を有する。その結果、光源取付部材４２０は、底部２２１から突出する側壁を有することで長手方向の撓みを抑制して剛性を確保できると共に、側壁が１つであるために従来技術のように底面部の両側から上下方向に延出する側面部を有する構成よりも軽量化を図る事ができる。また、光源取付部材４２０は、従来技術のように底面部の長手方向側面の両辺に側壁を有する構成よりも材料費を抑制する事ができる。さらに、光源取付部材４２０は、従来技術のように底面部の長手方向側面の両辺に側壁を有する構成よりも、加工工程を少なくできるので加工費及び加工時間を抑制することができる。
【００６１】
また、光源取付部材４２０は、底部２２１の下面部２２１ａから突出し、底部２２１の長手方向Ｘに沿って設けられた１つの下側壁部４２３を有する。下側壁部４２３は、底部２２１の短手方向Ｙの第２端縁部２２１ｒに配置されている。また、下側壁部４２３は、底部２２１を介して上側壁部４２２と連続して配置されている。光源取付部材４２０は、下側壁部４２３を有することで長手方向の撓みを抑制して剛性を確保することができる。また、光源取付部材４２０は、下側壁部４２３が上側壁部４２２と連続して配置されていることで、さらに長手方向の撓みを抑制して剛性を確保することができる。
【００６２】
また、光源取付部材４２０は、上側壁部４２２が、底部２２１の短手方向Ｙの他端の第２端縁部２２１ｒに配置されており、第１端縁部２２１ｆと、上側壁部４２２の上端部４２２ｃとがカバー部材２３０と当接する。すなわち、光源取付部材４２０は、上側壁部４２２と底部２２１との関係において、光源取付部材４２０の長手方向に対する垂直断面が、略Ｌ字形状に形成されている。従来技術のように底面部の長手方向側面の両辺に側壁を有する構成では、対向する側壁に遮られ配線及び部品の取り付け作業が難しくなる。光源取付部材４２０は、上側壁部４２２と底部２２１との関係において、光源取付部材４２０の長手方向に対する垂直断面が、略Ｌ字形状に形成されている。そのため、作業者は、フレームの側壁に遮られることなく配線及び部品を取り付けることができ、組立時の作業性が向上する。また、光源取付部材４２０は、上側壁部４２２と底部２２１との関係において、光源取付部材４２０の長手方向に対する垂直断面が、略Ｌ字形状に形成されているため、作業者による光源取付部材４２０へのカバー部材２３０の取り付け作業が容易になる。
【００６３】
また、光源取付部材４２０は、上側壁部４２２が、底部２２１の短手方向Ｙの第２端縁部２２１ｒに配置されている。すなわち、光源取付部材４２０は、上側壁部４２２と底部２２１との関係において、光源取付部材４２０の長手方向に対する垂直断面が、略Ｌ字形状に形成されている。光源取付部材４２０は、短手方向Ｙにおいて、上側壁部４２２を有さない側の底部２２１の上面部２２１ｂが平らに形成されているため、他の部品の配置に使用できる空間を確保することができる。
【００６４】
また、光源取付部材４２０は、第１端縁部２２１ｆが円弧状に折り返されて形成されたカール部２２１ｅを有してもよい。また、光源取付部材４２０は、上端部４２２ｃが、円弧状に折り返されて形成されたカール部２２２ｅを有してもよい。光源取付部材４２０は、カール部２２１ｅ及びカール部２２２ｅを設けることで底部２２１に対して、長手方向の撓みを抑制できるだけの縦弾性係数を確保することができ、光源取付部材４２０の剛性を確保することができる。また、カール部２２１ｅ及びカール部２２２ｅは円弧形状のため、円弧形状の一部がカバー部材２３０のカバー係合部２３４と当接する。その結果、光源取付部材４２０とカバー部材２３０との接触面積が少なくなり、光源取付部材４２０とカバー部材２３０との接触部から発生する膨張収縮音（きしみ音）、あるいは摺動音を低減することができる。
【００６５】
また、光源取付部材４２０は、上面部２２１ｂと上側壁部４２２の上端部４２２ｃとの間の距離ＵＬが、下面部２２１ａと下側壁部４２３の下端部４２３ｃとの間の距離ＤＬよりも長い。光源取付部材４２０は、上側壁部４２２の距離ＵＬが下側壁部４２３の距離ＤＬよりも長いため、発光体２１０の発する光を遮ることなく、光源取付部材４２０の長手方向の撓みを抑制して剛性を確保することができる。
【００６６】
また、照明装置１は、光源取付部材４２０を有しているので、長手方向の撓みを抑制して剛性を確保することができると共に、軽量化を図る事ができる。また、照明装置１は、光源取付部材４２０を有しているので、従来技術のように底面部の長手方向側面の両辺に側壁を有する構成よりも材料費を抑制する事ができる。さらに、照明装置１は、光源取付部材４２０を有しているので、従来技術のように底面部の長手方向側面の両辺に側壁を有する構成よりも、加工工程を少なくできるので加工費及び加工時間を抑制することができる。また、照明装置１は、光源取付部材４２０を有しているので、作業者は、フレームの側壁に遮られることなく配線及び部品を取り付けることができ、組立時の作業性が向上する。また、照明装置１は、光源取付部材４２０を有しているので、光源取付部材４２０において他の部品の配置に使用できる空間を確保することができる。また、照明装置１は、光源取付部材４２０を有しているので、光源取付部材４２０とカバー部材２３０との接触部から発生する膨張収縮音（きしみ音）、あるいは摺動音を低減することができる。
【００６７】
実施の形態４．
図１７は、本発明の実施の形態４に係る光源取付部材５２０の概略断面図である。図１〜図１６の照明装置１と同一の構成を有する部位には同一の符号を付してその説明を省略する。本発明の実施の形態４に光源取付部材５２０では、発明の実施の形態１に係る光源取付部材２２０と異なる形状部分を主に説明する。
【００６８】
光源取付部材５２０は、照明装置１において光源となる発光体２１０が取り付けられ、発光体２１０を覆うカバー部材２３０を保持するものである。光源取付部材５２０は、例えば鋼板で構成され、ロール加工等により曲げられて形成される。あるいは、光源取付部材５２０は、押し出し成形により形成される。光源取付部材５２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材５２０は、図１７に示すように、発光体２１０が配置される底部２２１の下面部２２１ａとは反対側の底部２２１の上面部２２１ｂから突出し、底部２２１の長手方向Ｘに沿って設けられた１つの上側壁部５２２を有する。上側壁部５２２は、板状に形成されている。また、上側壁部５２２は、底部２２１の長手方向の全長に連なって設けられてもよく、底部２２１の長手方向の一部に設けられてもよい。また、上側壁部５２２は、上側壁部５２２の一部に切り欠きが形成されてもよい。
【００６９】
光源取付部材５２０は、底部２２１の短手方向Ｙの一端の第１端縁部２２１ｆと他端の第２端縁部２２１ｒの間において、上側壁部５２２が、第２端縁部２２１ｒ側の底部２２１から立ち上がるように突出している。上側壁部５２２は、第２端縁部２２１ｒに配置されておらず、第１端縁部２２１ｆと、第２端縁部２２１ｒとが、発光体２１０を覆うカバー部材２３０と当接することで、光源取付部材５２０は、カバー部材２３０を保持する。
【００７０】
光源取付部材５２０は、底部２２１の下面部２２１ａから突出し、底部２２１の長手方向Ｘに沿って設けられた１つの下側壁部５２３を有する。下側壁部５２３は、板状に形成されている。下側壁部５２３は、底部２２１の短手方向Ｙの一端の第１端縁部２２１ｆと他端の第２端縁部２２１ｒの間において、第２端縁部２２１ｒ側の底部２２１に配置されている。また、下側壁部５２３は、底部２２１を介して上側壁部５２２と連続して配置されている。そのため、光源取付部材５２０は、上側壁部５２２と、底部２２１と、下側壁部５２３との接続部が十字状に形成されている。また、下側壁部５２３は、底部２２１の長手方向の全長に連なって設けられてもよく、底部２２１の長手方向の一部に設けられてもよい。また、下側壁部５２３は、下側壁部５２３の一部に切り欠きが形成されてもよい。
【００７１】
光源取付部材５２０は、上面部２２１ｂと上側壁部５２２の上端部５２２ｃとの間の距離ＵＬが、下面部２２１ａと下側壁部５２３の下端部５２３ｃとの間の距離ＤＬよりも長い。下側壁部５２３は、発光体２１０の発する光を遮らない位置に設けられることが望ましく、そして、下面部２２１ａと下側壁部５２３の下端部５２３ｃとの間の距離ＤＬは、発光体２１０の発する光を遮らないように設定することが望ましい。光源取付部材５２０は、上側壁部５２２の距離ＵＬが下側壁部５２３の距離ＤＬよりも長いため、発光体２１０の発する光を遮ることなく、光源取付部材５２０の長手方向の撓みを抑制して剛性を確保することができる。
【００７２】
光源取付部材５２０は、第１端縁部２２１ｆが円弧状に折り返されて形成されたカール部２２１ｅを有してもよい。また、光源取付部材５２０は、第２端縁部２２１ｒが、円弧状に折り返されて形成されたカール部２２１ｅを有してもよい。光源取付部材５２０は、カール部２２１ｅを設けることで底部２２１に対して、長手方向の撓みを抑制できるだけの縦弾性係数を確保することができ、光源取付部材５２０の剛性を確保することができる。カール部２２１ｅは、光源取付部材５２０の長手方向Ｘに沿って第１端縁部２２１ｆ及び第２端縁部２２１ｒに連続して形成されてもよく、分断して形成されてもよく、一部に形成されてもよい。なお、光源取付部材５２０は、カール部２２１ｅが形成されていることが望ましいが、光源取付部材５２０はカール部２２１ｅが形成されていなくてもよい。
【００７３】
以上のように、光源取付部材５２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材５２０は、発光体２１０が配置される底部２２１の下面部２２１ａとは反対側の底部２２１の上面部２２１ｂから突出し、底部２２１の長手方向Ｘに沿って設けられた１つの上側壁部５２２を有する。その結果、光源取付部材５２０は、底部２２１から突出する側壁を有することで長手方向の撓みを抑制して剛性を確保できると共に、側壁が１つであるために従来技術のように底面部の両側から上下方向に延出する側面部を有する構成よりも軽量化を図る事ができる。また、光源取付部材５２０は、従来技術のように底面部の長手方向側面の両辺に側壁を有する構成よりも材料費を抑制する事ができる。さらに、光源取付部材５２０は、従来技術のように底面部の長手方向側面の両辺に側壁を有する構成よりも、加工工程を少なくできるので加工費及び加工時間を抑制することができる。
【００７４】
また、光源取付部材５２０は、底部２２１の下面部２２１ａから突出し、底部２２１の長手方向Ｘに沿って設けられた１つの下側壁部５２３を有する。光源取付部材５２０は、下側壁部５２３を有することで長手方向の撓みを抑制して剛性を確保することができる。また、下側壁部５２３は、底部２２１を介して上側壁部５２２と連続して配置されている。そのため、光源取付部材５２０は、上側壁部５２２と、底部２２１と、下側壁部５２３との接続部が十字状に形成されている。その結果、光源取付部材５２０は、さらに長手方向の撓みを抑制して剛性を確保することができる。
【００７５】
また、光源取付部材５２０は、上側壁部５２２が、第２端縁部２２１ｒに配置されておらず、第１端縁部２２１ｆと、第２端縁部２２１ｒとが、発光体２１０を覆うカバー部材２３０と当接することで、光源取付部材５２０は、カバー部材２３０を保持する。その結果、照明装置１は、カバー部材２３０のカバー係合部２３４の構造を対称にすることができ、カバー部材２３０の成形性を改善することができる。また、光源取付部材５２０は、従来技術のように底面部の長手方向側面の両辺に側壁を有する構成と比べて、カバー部材２３０の取り付け作業が容易になる。
【００７６】
また、光源取付部材５２０は、発光体２１０が配置される底部２２１の下面部２２１ａとは反対側の底部２２１の上面部２２１ｂから突出し、底部２２１の長手方向Ｘに沿って設けられた１つの上側壁部５２２を有する。従来技術のように底面部の長手方向側面の両辺に側壁を有する構成では、対向する側壁に遮られ配線及び部品の取り付け作業が難しくなる。光源取付部材５２０は、側壁が１つであるため、作業者は、フレームの対向する側壁に遮られることなく配線及び部品を取り付けることができ、組立時の作業性が向上する。
【００７７】
また、光源取付部材５２０は、発光体２１０が配置される底部２２１の下面部２２１ａとは反対側の底部２２１の上面部２２１ｂから突出し、底部２２１の長手方向Ｘに沿って設けられた１つの上側壁部５２２を有する。光源取付部材５２０は、短手方向Ｙにおいて、上側壁部５２２を有さない側の底部２２１の上面部２２１ｂが平らに形成されているため、他の部品の配置に使用できる空間を確保することができる。
【００７８】
また、光源取付部材５２０は、第１端縁部２２１ｆ及び第２端縁部２２１ｒが円弧状に折り返されて形成されたカール部２２１ｅを有してもよい。光源取付部材５２０は、カール部２２１ｅを設けることで底部２２１に対して、長手方向の撓みを抑制できるだけの縦弾性係数を確保することができ、光源取付部材５２０の剛性を確保することができる。また、カール部２２１ｅは円弧形状のため、円弧形状の一部がカバー部材２３０のカバー係合部２３４と当接する。その結果、光源取付部材５２０とカバー部材２３０との接触面積が少なくなり、光源取付部材５２０とカバー部材２３０との接触部から発生する膨張収縮音（きしみ音）、あるいは摺動音を低減することができる。
【００７９】
また、光源取付部材５２０は、上面部２２１ｂと上側壁部５２２の上端部５２２ｃとの間の距離ＵＬが、下面部２２１ａと下側壁部５２３の下端部５２３ｃとの間の距離ＤＬよりも長い。光源取付部材５２０は、上側壁部５２２の距離ＵＬが下側壁部５２３の距離ＤＬよりも長いため、発光体２１０の発する光を遮ることなく、光源取付部材５２０の長手方向の撓みを抑制して剛性を確保することができる。
【００８０】
また、照明装置１は、光源取付部材５２０を有しているので、長手方向の撓みを抑制して剛性を確保することができると共に、軽量化を図る事ができる。また、照明装置１は、光源取付部材５２０を有しているので、従来技術のように底面部の長手方向側面の両辺に側壁を有する構成よりも材料費を抑制する事ができる。さらに、照明装置１は、光源取付部材５２０を有しているので、従来技術のように底面部の長手方向側面の両辺に側壁を有する構成よりも、加工工程を少なくできるので加工費及び加工時間を抑制することができる。また、照明装置１は、光源取付部材５２０を有しているので、作業者は、フレームの側壁に遮られることなく配線及び部品を取り付けることができ、組立時の作業性が向上する。また、照明装置１は、光源取付部材５２０を有しているので、光源取付部材５２０において他の部品の配置に使用できる空間を確保することができる。また、照明装置１は、光源取付部材５２０を有しているので、光源取付部材５２０とカバー部材２３０との接触部から発生する膨張収縮音（きしみ音）、あるいは摺動音を低減することができる。
【００８１】
実施の形態５．
図１８は、本発明の実施の形態５に係る光源取付部材６２０の概略断面図である。図１〜図１７の照明装置１と同一の構成を有する部位には同一の符号を付してその説明を省略する。本発明の実施の形態５に光源取付部材６２０では、発明の実施の形態１に係る光源取付部材２２０と異なる形状部分を主に説明する。
【００８２】
光源取付部材６２０は、照明装置１において光源となる発光体２１０が取り付けられ、発光体２１０を覆うカバー部材２３０を保持するものである。光源取付部材６２０は、例えば鋼板で構成され、ロール加工等により曲げられて形成される。あるいは、光源取付部材６２０は、押し出し成形により形成される。光源取付部材６２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材６２０は、発光体２１０が配置される底部２２１の下面部２２１ａとは反対側の底部２２１の上面部２２１ｂから突出し、底部２２１の長手方向Ｘに沿って設けられた１つの上側壁部６２２を有する。上側壁部６２２は、板状に形成されている。また、上側壁部６２２は、底部２２１の長手方向の全長に連なって設けられてもよく、底部２２１の長手方向の一部に設けられてもよい。また、上側壁部６２２は、上側壁部６２２の一部に切り欠きが形成されてもよい。
【００８３】
光源取付部材６２０は、底部２２１の短手方向Ｙの一端の第１端縁部２２１ｆと他端の第２端縁部２２１ｒにおいて、上側壁部６２２が、底部２２１の短手方向Ｙの第２端縁部２２１ｒに配置されている。すなわち、光源取付部材６２０は、上側壁部６２２と底部２２１との関係において、光源取付部材６２０の長手方向に対する垂直断面が、略Ｌ字形状に形成されている。底部２２１の短手方向Ｙの一端の第１端縁部２２１ｆと、上側壁部６２２の上端部６２２ｃとが発光体２１０を覆うカバー部材２３０と当接し、光源取付部材６２０は、カバー部材２３０を保持する。
【００８４】
光源取付部材６２０は、上側壁部６２２と並列して設けられた１つの内側壁部６２３を更に有する。内側壁部６２３は、板状に形成されている。光源取付部材６２０は、内側壁部６２３と底部２２１との関係において、光源取付部材６２０の長手方向に対する垂直断面が、略Ｌ字形状に形成されている。また、内側壁部６２３は、底部２２１の長手方向の全長に連なって設けられてもよく、底部２２１の長手方向の一部に設けられてもよい。また、内側壁部６２３は、内側壁部６２３の一部に切り欠きが形成されてもよい。内側壁部６２３と第１端縁部２２１ｆとの間の距離ＤＢは、内側壁部６２３と上側壁部６２２が形成されている第２端縁部２２１ｒとの間の距離ＤＡよりも長い。なお、内側壁部６２３と第１端縁部２２１ｆとの間の距離ＤＢは、電源装置２５０の短手方向Ｙの幅よりも長い。
【００８５】
光源取付部材６２０は、第１端縁部２２１ｆが円弧状に折り返されて形成されたカール部２２１ｅを有してもよい。また、光源取付部材６２０は、上端部６２２ｃが、円弧状に折り返されて形成されたカール部２２２ｅを有してもよい。光源取付部材６２０は、カール部２２１ｅ及びカール部２２２ｅを設けることで底部２２１に対して、長手方向の撓みを抑制できるだけの縦弾性係数を確保することができ、光源取付部材６２０の剛性を確保することができる。
【００８６】
以上のように、光源取付部材６２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材６２０は、発光体２１０が配置される底部２２１の下面部２２１ａとは反対側の底部２２１の上面部２２１ｂから突出し、底部２２１の長手方向Ｘに沿って設けられた１つの上側壁部６２２を有する。その結果、光源取付部材６２０は、底部２２１から突出する側壁を有することで長手方向の撓みを抑制して剛性を確保できると共に、側壁が１つであるために従来技術のように底面部の両側から上下方向に延出する側面部を有する構成よりも軽量化を図る事ができる。また、光源取付部材６２０は、従来技術のように底面部の長手方向側面の両辺に側壁を有する構成よりも材料費を抑制する事ができる。さらに、光源取付部材６２０は、従来技術のように底面部の長手方向側面の両辺に側壁を有する構成よりも、加工工程を少なくできるので加工費及び加工時間を抑制することができる。
【００８７】
また、光源取付部材６２０は、上側壁部６２２と並設された内側壁部６２３を有している。光源取付部材６２０は、内側壁部６２３と底部２２１との関係において、光源取付部材６２０の長手方向に対する垂直断面が、略Ｌ字形状に形成されている。従来技術のように底面部の長手方向側面の両辺に側壁を有する構成では、対向する側壁に遮られ配線及び部品の取り付け作業が難しくなる。光源取付部材６２０は、光源取付部材６２０の長手方向に対する垂直断面が、略Ｌ字形状に形成されているため、作業者は、フレームの側壁に遮られることなく配線及び部品を取り付けることができ、組立時の作業性が向上する。また、光源取付部材６２０は、上側壁部６２２と底部２２１との関係において、光源取付部材６２０の長手方向に対する垂直断面が、略Ｌ字形状に形成されているため、作業者による光源取付部材６２０へのカバー部材２３０の取り付け作業が容易になる。
【００８８】
また、光源取付部材６２０は、上側壁部６２２と並設された内側壁部６２３を有している。そのため、光源取付部材６２０は、長手方向の撓みを抑制して剛性を更に確保することができる。さらに、光源取付部材６２０は、上側壁部６２２と内側壁部６２３との間に配線部材を収納することができる。そのため、底部２２１上の配線を整理することができる。また、施工時に取り扱わない配線部材を一時的に収納しておくことができ作業の効率化を図ることができる。
【００８９】
また、光源取付部材６２０は、内側壁部６２３と第１端縁部２２１ｆとの間の距離ＤＢは、内側壁部６２３と上側壁部６２２が形成されている第２端縁部２２１ｒとの間の距離ＤＡよりも長い。光源取付部材６２０は、短手方向Ｙにおいて、上側壁部６２２を有さない側の底部２２１の上面部２２１ｂが平らに形成されているため、他の部品の配置に使用できる空間を確保することができる。
【００９０】
また、光源取付部材６２０は、第１端縁部２２１ｆが円弧状に折り返されて形成されたカール部２２１ｅを有してもよい。また、光源取付部材６２０は、上端部６２２ｃが、円弧状に折り返されて形成されたカール部２２２ｅを有してもよい。光源取付部材６２０は、カール部２２１ｅ及びカール部２２２ｅを設けることで底部２２１に対して、長手方向の撓みを抑制できるだけの縦弾性係数を確保することができ、光源取付部材６２０の剛性を確保することができる。また、カール部２２１ｅ及びカール部２２２ｅは円弧形状のため、円弧形状の一部がカバー部材２３０のカバー係合部２３４と当接する。その結果、光源取付部材６２０とカバー部材２３０との接触面積が少なくなり、光源取付部材６２０とカバー部材２３０との接触部から発生する膨張収縮音（きしみ音）、あるいは摺動音を低減することができる。
【００９１】
また、照明装置１は、光源取付部材６２０を有しているので、長手方向の撓みを抑制して剛性を確保することができると共に、軽量化を図る事ができる。また、照明装置１は、光源取付部材６２０を有しているので、従来技術のように底面部の長手方向側面の両辺に側壁を有する構成よりも材料費を抑制する事ができる。さらに、照明装置１は、光源取付部材６２０を有しているので、従来技術のように底面部の長手方向側面の両辺に側壁を有する構成よりも、加工工程を少なくできるので加工費及び加工時間を抑制することができる。また、照明装置１は、光源取付部材６２０を有しているので、作業者は、フレームの側壁に遮られることなく配線及び部品を取り付けることができ、組立時の作業性が向上する。また、照明装置１は、光源取付部材６２０を有しているので、光源取付部材６２０において他の部品の配置に使用できる空間を確保することができる。また、照明装置１は、光源取付部材６２０を有しているので、光源取付部材６２０とカバー部材２３０との接触部から発生する膨張収縮音（きしみ音）、あるいは摺動音を低減することができる。
【００９２】
実施の形６．
図１９は、本発明の実施の形態６に係る光源取付部材７２０の概略断面図である。図１〜図１８の照明装置１と同一の構成を有する部位には同一の符号を付してその説明を省略する。本発明の実施の形態３に光源取付部材７２０では、発明の実施の形態１に係る光源取付部材２２０と異なる形状部分を主に説明する。
【００９３】
光源取付部材７２０は、照明装置１において光源となる発光体２１０が取り付けられ、発光体２１０を覆うカバー部材２３０を保持するものである。光源取付部材７２０は、例えば鋼板で構成され、ロール加工等により曲げられて形成される。あるいは、光源取付部材７２０は、押し出し成形により形成される。光源取付部材７２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材７２０は、発光体２１０が配置される底部２２１の下面部２２１ａとは反対側の底部２２１の上面部２２１ｂから突出し、底部２２１の長手方向Ｘに沿って設けられた１つの上側壁部７２２を有する。上側壁部７２２は、板状に形成されている。また、上側壁部７２２は、底部２２１の長手方向の全長に連なって設けられてもよく、底部２２１の長手方向の一部に設けられてもよい。また、上側壁部７２２は、上側壁部７２２の一部に切り欠きが形成されてもよい。光源取付部材７２０は、底部２２１の短手方向Ｙの一端の第１端縁部２２１ｆと他端の第２端縁部２２１ｒにおいて、上側壁部７２２が、底部２２１の短手方向Ｙの第２端縁部２２１ｒに配置されている。すなわち、光源取付部材７２０は、上側壁部７２２が、底部２２１の短手方向Ｙの第２端縁部２２１ｒから立ち上がるように突出している。底部２２１の短手方向Ｙの一端の第１端縁部２２１ｆと、上側壁部７２２の上端部７２２ｃとが発光体２１０を覆うカバー部材２３０と当接し、光源取付部材７２０は、カバー部材２３０を保持する。
【００９４】
光源取付部材７２０は、底部２２１の下面部２２１ａから突出し、底部２２１の長手方向Ｘに沿って設けられた１つの下側壁部７２３を有する。下側壁部７２３は、板状に形成されている。下側壁部７２３は、底部２２１の短手方向Ｙの第１端縁部２２１ｆに配置されている。また、下側壁部７２３は、底部２２１の長手方向の全長に連なって設けられてもよく、底部２２１の長手方向の一部に設けられてもよい。また、下側壁部７２３は、下側壁部７２３の一部に切り欠きが形成されてもよい。
【００９５】
光源取付部材７２０は、上面部２２１ｂと上側壁部７２２の上端部７２２ｃとの間の距離ＵＬが、下面部２２１ａと下側壁部７２３の下端部７２３ｃとの間の距離ＤＬよりも長い。下側壁部７２３は、発光体２１０の発する光を遮らない位置に設けられることが望ましく、そして、下面部２２１ａと下側壁部７２３の下端部７２３ｃとの間の距離ＤＬは、発光体２１０の発する光を遮らないように設定することが望ましい。光源取付部材７２０は、上側壁部７２２の距離ＵＬが下側壁部７２３の距離ＤＬよりも長いため、発光体２１０の発する光を遮ることなく、光源取付部材７２０の長手方向の撓みを抑制して剛性を確保することができる。
【００９６】
光源取付部材７２０は、上端部７２２ｃが、円弧状に折り返されて形成されたカール部２２２ｅを有してもよい。光源取付部材７２０は、カール部２２２ｅを設けることで底部２２１に対して、長手方向の撓みを抑制できるだけの縦弾性係数を確保することができ、光源取付部材７２０の剛性を確保することができる。また、カール部２２２ｅは円弧形状のため、円弧形状の一部がカバー部材２３０のカバー係合部２３４と当接する。その結果、光源取付部材７２０とカバー部材２３０との接触面積が少なくなり、光源取付部材７２０とカバー部材２３０との接触部から発生する膨張収縮音（きしみ音）、あるいは摺動音を低減することができる。
【００９７】
以上のように、光源取付部材７２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材７２０は、発光体２１０が配置される底部２２１の下面部２２１ａとは反対側の底部２２１の上面部２２１ｂから突出し、底部２２１の長手方向Ｘに沿って設けられた１つの上側壁部７２２を有する。その結果、光源取付部材７２０は、底部２２１から突出する側壁を有することで長手方向の撓みを抑制して剛性を確保できると共に、側壁が１つであるために従来技術のように底面部の両側から上下方向に延出する側面部を有する構成よりも軽量化を図る事ができる。また、光源取付部材７２０は、従来技術のように底面部の長手方向側面の両辺に側壁を有する構成よりも材料費を抑制する事ができる。さらに、光源取付部材７２０は、従来技術のように底面部の長手方向側面の両辺に側壁を有する構成よりも、加工工程を少なくできるので加工費及び加工時間を抑制することができる。
【００９８】
また、光源取付部材７２０は、底部２２１の下面部２２１ａから突出し、底部２２１の長手方向Ｘに沿って設けられた１つの下側壁部７２３を有する。下側壁部７２３は、底部２２１の短手方向Ｙの第１端縁部２２１ｆに配置されている。光源取付部材７２０は、下側壁部７２３を有することで長手方向の撓みを抑制して剛性を確保することができる。
【００９９】
また、光源取付部材７２０は、上側壁部７２２が、底部２２１の短手方向Ｙの他端の第２端縁部２２１ｒに配置されており、第１端縁部２２１ｆと、上側壁部７２２の上端部７２２ｃとがカバー部材２３０と当接する。すなわち、光源取付部材７２０は、上側壁部７２２と底部２２１との関係において、光源取付部材７２０の長手方向に対する垂直断面が、略Ｌ字形状に形成されている。従来技術のように底面部の長手方向側面の両辺に側壁を有する構成では、対向する側壁に遮られ配線及び部品の取り付け作業が難しくなる。光源取付部材７２０は、上側壁部７２２と底部２２１との関係において、光源取付部材７２０の長手方向に対する垂直断面が、略Ｌ字形状に形成されている。そのため、作業者は、フレームの側壁に遮られることなく配線及び部品を取り付けることができ、組立時の作業性が向上する。また、光源取付部材７２０は、上側壁部７２２と底部２２１との関係において、光源取付部材７２０の長手方向に対する垂直断面が、略Ｌ字形状に形成されているため、作業者による光源取付部材７２０へのカバー部材２３０の取り付け作業が容易になる。
【０１００】
また、光源取付部材７２０は、上側壁部７２２が、底部２２１の短手方向Ｙの第２端縁部２２１ｒに配置されている。すなわち、光源取付部材７２０は、上側壁部７２２と底部２２１との関係において、光源取付部材７２０の長手方向に対する垂直断面が、略Ｌ字形状に形成されている。光源取付部材７２０は、短手方向Ｙにおいて、上側壁部７２２を有さない側の底部２２１の上面部２２１ｂが平らに形成されているため、他の部品の配置に使用できる空間を確保することができる。
【０１０１】
また、光源取付部材７２０は、上端部７２２ｃが、円弧状に折り返されて形成されたカール部２２２ｅを有してもよい。光源取付部材７２０は、カール部２２２ｅを設けることで底部２２１に対して、長手方向の撓みを抑制できるだけの縦弾性係数を確保することができ、光源取付部材７２０の剛性を確保することができる。また、カール部２２２ｅは円弧形状のため、円弧形状の一部がカバー部材２３０のカバー係合部２３４と当接する。その結果、光源取付部材７２０とカバー部材２３０との接触面積が少なくなり、光源取付部材７２０とカバー部材２３０との接触部から発生する膨張収縮音（きしみ音）、あるいは摺動音を低減することができる。
【０１０２】
また、光源取付部材７２０は、上面部２２１ｂと上側壁部７２２の上端部７２２ｃとの間の距離ＵＬが、下面部２２１ａと下側壁部７２３の下端部７２３ｃとの間の距離ＤＬよりも長い。光源取付部材７２０は、上側壁部７２２の距離ＵＬが下側壁部７２３の距離ＤＬよりも長いため、発光体２１０の発する光を遮ることなく、光源取付部材７２０の長手方向の撓みを抑制して剛性を確保することができる。
【０１０３】
また、照明装置１は、光源取付部材７２０を有しているので、長手方向の撓みを抑制して剛性を確保することができると共に、軽量化を図る事ができる。また、照明装置１は、光源取付部材７２０を有しているので、従来技術のように底面部の長手方向側面の両辺に側壁を有する構成よりも材料費を抑制する事ができる。さらに、照明装置１は、光源取付部材７２０を有しているので、従来技術のように底面部の長手方向側面の両辺に側壁を有する構成よりも、加工工程を少なくできるので加工費及び加工時間を抑制することができる。また、照明装置１は、光源取付部材７２０を有しているので、作業者は、フレームの側壁に遮られることなく配線及び部品を取り付けることができ、組立時の作業性が向上する。また、照明装置１は、光源取付部材７２０を有しているので、光源取付部材７２０において他の部品の配置に使用できる空間を確保することができる。また、照明装置１は、光源取付部材７２０を有しているので、光源取付部材７２０とカバー部材２３０との接触部から発生する膨張収縮音（きしみ音）、あるいは摺動音を低減することができる。
【０１０４】
実施の形態７．
図２０は、本発明の実施の形態７に係る光源取付部材８２０の概略断面図である。図２１は、図２０の光源取付部材８２０の側面図である。なお、図２１は、光源取付部材８２０の長手方向Ｘの構成を一部省略している。図１〜図１９の照明装置１と同一の構成を有する部位には同一の符号を付してその説明を省略する。本発明の実施の形態７に光源取付部材８２０では、発明の実施の形態１に係る光源取付部材２２０と異なる形状部分を主に説明する。
【０１０５】
光源取付部材８２０は、照明装置１において光源となる発光体２１０が取り付けられ、発光体２１０を覆うカバー部材２３０を保持するものである。光源取付部材８２０は、例えば鋼板で構成され、ロール加工等により曲げられて形成される。あるいは、光源取付部材８２０は、押し出し成形により形成される。光源取付部材８２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材８２０は、図２０に示すように、発光体２１０が配置される底部２２１の下面部２２１ａとは反対側の底部２２１の上面部２２１ｂから突出し、底部２２１の長手方向Ｘに沿って設けられた１つの上側壁部８２２を有する。上側壁部８２２は、板状に形成されている。
【０１０６】
光源取付部材８２０は、上側壁部８２２が、底部２２１の短手方向Ｙの中央８２１ｃに配置されている。なお、中央８２１ｃは、底部２２１の短手方向Ｙの厳密な中央部に限定するものではなく、中央付近であればよい。上側壁部８２２は、図２１に示すように、底部２２１の長手方向に沿って一部に切り欠き部８２３が形成されている。切り欠き部８２３が形成されている底部２２１には、電源装置２５０が設置される。上側壁部８２２と電源装置２５０のケース（図示せず）とを直接固定することにより光源取付部材８２０の剛性を確保することができる。光源取付部材８２０は、第１端縁部２２１ｆと、第２端縁部２２１ｒとが、発光体２１０を覆うカバー部材２３０と当接することで、カバー部材２３０を保持する。
【０１０７】
光源取付部材８２０は、第１端縁部２２１ｆが円弧状に折り返されて形成されたカール部２２１ｅを有してもよい。また、光源取付部材８２０は、第２端縁部２２１ｒが、円弧状に折り返されて形成されたカール部２２１ｅを有してもよい。光源取付部材８２０は、カール部２２１ｅを設けることで底部２２１に対して、長手方向の撓みを抑制できるだけの縦弾性係数を確保することができ、光源取付部材８２０の剛性を確保することができる。カール部２２１ｅは、光源取付部材８２０の長手方向Ｘに沿って第１端縁部２２１ｆ及び第２端縁部２２１ｒに連続して形成されてもよく、分断して形成されてもよく、一部に形成されてもよい。なお、光源取付部材８２０は、カール部２２１ｅが形成されていることが望ましいが、光源取付部材８２０はカール部２２１ｅが形成されていなくてもよい。
【０１０８】
以上のように、光源取付部材８２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材８２０は、発光体２１０が配置される底部２２１の下面部２２１ａとは反対側の底部２２１の上面部２２１ｂから突出し、底部２２１の長手方向Ｘに沿って設けられた１つの上側壁部８２２を有する。その結果、光源取付部材８２０は、底部２２１から突出する側壁を有することで長手方向の撓みを抑制して剛性を確保できると共に、側壁が１つであるために従来技術のように底面部の両側から上下方向に延出する側面部を有する構成よりも軽量化を図る事ができる。また、光源取付部材８２０は、従来技術のように底面部の長手方向側面の両辺に側壁を有する構成よりも材料費を抑制する事ができる。さらに、光源取付部材８２０は、従来技術のように底面部の長手方向側面の両辺に側壁を有する構成よりも、加工工程を少なくできるので加工費及び加工時間を抑制することができる。
【０１０９】
また、光源取付部材８２０は、底部２２１の短手方向Ｙの中央８２１ｃに上側壁部８２２を配置している。そのため、光源取付部材８２０は、底部２２１の第２端縁部２２１ｒ及び第１端縁部２２１ｆにカバー部材２３０を係合することができる。その結果、カバー部材２３０のカバー係合部２３４の構造を対称にすることができ、カバー部材２３０の成形性を改善することができる。また、光源取付部材８２０は、従来技術のように底面部の長手方向側面の両辺に側壁を有する構成と比べて、カバー部材２３０の取り付け作業が容易になる。
【０１１０】
また、光源取付部材８２０は、底部２２１の短手方向Ｙの中央８２１ｃに上側壁部８２２を配置している。従来技術のように底面部の長手方向側面の両辺に側壁を有する構成では、対向する側壁に遮られ配線及び部品の取り付け作業が難しくなる。光源取付部材８２０は、フレームの側壁に遮られることなく配線及び部品の取り付けすることができ組立の作業性が向上する。
【０１１１】
また、光源取付部材８２０は、上側壁部８２２の一部に、切り欠き部８２３が形成されている。光源取付部材８２０は、上側壁部８２２の一部に、切り欠き部８２３が形成されていることで、底部２２１の上面部２２１ｂ上に他の部品の配置に使用できる空間を確保することができる。
【０１１２】
また、光源取付部材８２０は、第１端縁部２２１ｆ及び第２端縁部２２１ｒが円弧状に折り返されて形成されたカール部２２１ｅを有してもよい。光源取付部材８２０は、カール部２２１ｅを設けることで底部２２１に対して、長手方向の撓みを抑制できるだけの縦弾性係数を確保することができ、光源取付部材８２０の剛性を確保することができる。また、カール部２２１ｅは円弧形状のため、円弧形状の一部がカバー部材２３０のカバー係合部２３４と当接する。その結果、光源取付部材８２０とカバー部材２３０との接触面積が少なくなり、光源取付部材８２０とカバー部材２３０との接触部から発生する膨張収縮音（きしみ音）、あるいは摺動音を低減することができる。
【０１１３】
また、照明装置１は、光源取付部材８２０を有しているので、長手方向の撓みを抑制して剛性を確保することができると共に、軽量化を図る事ができる。また、照明装置１は、光源取付部材８２０を有しているので、従来技術のように底面部の長手方向側面の両辺に側壁を有する構成よりも材料費を抑制する事ができる。さらに、照明装置１は、光源取付部材８２０を有しているので、従来技術のように底面部の長手方向側面の両辺に側壁を有する構成よりも、加工工程を少なくできるので加工費及び加工時間を抑制することができる。また、照明装置１は、光源取付部材８２０を有しているので、カバー部材２３０のカバー係合部２３４の構造を対称にすることができ、カバー部材２３０の成形性を改善することができる。また、照明装置１は、光源取付部材８２０を有しているので、作業者は、フレームの側壁に遮られることなく配線及び部品を取り付けることができ、組立時の作業性が向上する。また、照明装置１は、光源取付部材８２０を有しているので、光源取付部材８２０において他の部品の配置に使用できる空間を確保することができる。また、照明装置１は、光源取付部材８２０を有しているので、光源取付部材８２０とカバー部材２３０との接触部から発生する膨張収縮音（きしみ音）、あるいは摺動音を低減することができる。
【０１１４】
実施の形態８．
図２２は、本発明の実施の形態８に係る光源取付部材９２０の概略断面図である。図２３は、図２２の光源取付部材９２０の側面図である。なお、図２３は、光源取付部材９２０の長手方向Ｘの構成を一部省略している。図１〜図２１の照明装置１と同一の構成を有する部位には同一の符号を付してその説明を省略する。本発明の実施の形態８に光源取付部材９２０では、発明の実施の形態１に係る光源取付部材２２０と異なる形状部分を主に説明する。
【０１１５】
光源取付部材９２０は、照明装置１において光源となる発光体２１０が取り付けられ、発光体２１０を覆うカバー部材２３０を保持するものである。光源取付部材９２０は、例えば鋼板で構成され、ロール加工等により曲げられて形成される。あるいは、光源取付部材９２０は、押し出し成形により形成される。光源取付部材９２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材９２０は、図２０に示すように、発光体２１０が配置される底部２２１の下面部２２１ａとは反対側の底部２２１の上面部２２１ｂから突出し、底部２２１の長手方向Ｘに沿って設けられた１つの上側壁部９２２を有する。上側壁部９２２は、板状に形成されている。光源取付部材９２０は、底部２２１の短手方向Ｙにおいて、下側壁部９２３の両側の下面部２２１ａに発光体２１０が配置される。
【０１１６】
光源取付部材９２０は、上側壁部９２２が、底部２２１の短手方向Ｙの中央９２１ｃに配置されている。なお、中央９２１ｃは、底部２２１の短手方向Ｙの厳密な中央部に限定するものではなく、中央付近であればよい。上側壁部９２２は、図２１に示すように、底部２２１の長手方向に沿って一部に切り欠き部９２４が形成されている。切り欠き部９２４が形成されている底部２２１には、電源装置２５０が設置される。上側壁部９２２と電源装置２５０のケース（図示せず）とを直接固定することにより光源取付部材９２０の剛性を確保することができる。光源取付部材９２０は、第１端縁部２２１ｆと、第２端縁部２２１ｒとが、発光体２１０を覆うカバー部材２３０と当接することで、カバー部材２３０を保持する。
【０１１７】
光源取付部材９２０は、底部２２１の下面部２２１ａから突出し、底部２２１の長手方向Ｘに沿って設けられた１つの下側壁部９２３を有する。下側壁部９２３は、板状に形成されている。下側壁部９２３は、底部２２１の短手方向Ｙの一端の第１端縁部２２１ｆと他端の第２端縁部２２１ｒの間において、第２端縁部２２１ｒ側の底部２２１に配置されている。また、下側壁部９２３は、底部２２１を介して上側壁部９２２と連続して配置されている。そのため、光源取付部材９２０は、上側壁部９２２と、底部２２１と、下側壁部９２３との接続部が十字状に形成されている。また、下側壁部９２３は、底部２２１の長手方向の全長に連なって設けられてもよく、底部２２１の長手方向の一部に設けられてもよい。また、下側壁部９２３は、下側壁部９２３の一部に切り欠きが形成されてもよい。
【０１１８】
光源取付部材９２０は、上面部２２１ｂと上側壁部９２２の上端部９２２ｃとの間の距離ＵＬが、下面部２２１ａと下側壁部９２３の下端部９２３ｃとの間の距離ＤＬよりも長い。下側壁部９２３は、発光体２１０の発する光を遮らない位置に設けられることが望ましく、そして、下面部２２１ａと下側壁部９２３の下端部９２３ｃとの間の距離ＤＬは、発光体２１０の発する光を遮らないように設定することが望ましい。光源取付部材９２０は、上側壁部９２２の距離ＵＬが下側壁部９２３の距離ＤＬよりも長いため、発光体２１０の発する光を遮ることなく、光源取付部材９２０の長手方向の撓みを抑制して剛性を確保することができる。
【０１１９】
光源取付部材９２０は、第１端縁部２２１ｆが円弧状に折り返されて形成されたカール部２２１ｅを有してもよい。また、光源取付部材９２０は、第２端縁部２２１ｒが、円弧状に折り返されて形成されたカール部２２１ｅを有してもよい。光源取付部材９２０は、カール部２２１ｅを設けることで底部２２１に対して、長手方向の撓みを抑制できるだけの縦弾性係数を確保することができ、光源取付部材９２０の剛性を確保することができる。カール部２２１ｅは、光源取付部材９２０の長手方向Ｘに沿って第１端縁部２２１ｆ及び第２端縁部２２１ｒに連続して形成されてもよく、分断して形成されてもよく、一部に形成されてもよい。なお、光源取付部材９２０は、カール部２２１ｅが形成されていることが望ましいが、光源取付部材９２０はカール部２２１ｅが形成されていなくてもよい。
【０１２０】
以上のように、光源取付部材９２０は、長尺且つ矩形平板状に形成され、下面部２２１ａに発光体２１０が配置されると共に短手方向Ｙの一端の第１端縁部２２１ｆがカバー部材２３０と当接する底部２２１を有する。また、光源取付部材９２０は、発光体２１０が配置される底部２２１の下面部２２１ａとは反対側の底部２２１の上面部２２１ｂから突出し、底部２２１の長手方向Ｘに沿って設けられた１つの上側壁部９２２を有する。その結果、光源取付部材９２０は、底部２２１から突出する側壁を有することで長手方向の撓みを抑制して剛性を確保できると共に、側壁が１つであるために従来技術のように底面部の両側から上下方向に延出する側面部を有する構成よりも軽量化を図る事ができる。また、光源取付部材９２０は、従来技術のように底面部の長手方向側面の両辺に側壁を有する構成よりも材料費を抑制する事ができる。さらに、光源取付部材９２０は、従来技術のように底面部の長手方向側面の両辺に側壁を有する構成よりも、加工工程を少なくできるので加工費及び加工時間を抑制することができる。
【０１２１】
また、光源取付部材９２０は、底部２２１の短手方向Ｙの中央９２１ｃに上側壁部９２２を配置している。そのため、光源取付部材９２０は、底部２２１の第２端縁部２２１ｒ及び第１端縁部２２１ｆにカバー部材２３０を係合することができる。その結果、カバー部材２３０のカバー係合部２３４の構造を対称にすることができ、カバー部材２３０の成形性を改善することができる。また、光源取付部材９２０は、従来技術のように底面部の長手方向側面の両辺に側壁を有する構成と比べて、カバー部材２３０の取り付け作業が容易になる。
【０１２２】
また、光源取付部材９２０は、底部２２１の短手方向Ｙの中央９２１ｃに上側壁部９２２を配置している。従来技術のように底面部の長手方向側面の両辺に側壁を有する構成では、対向する側壁に遮られ配線及び部品の取り付け作業が難しくなる。光源取付部材９２０は、フレームの側壁に遮られることなく配線及び部品の取り付けすることができ組立の作業性が向上する。
【０１２３】
また、光源取付部材９２０は、底部２２１の下面部２２１ａから突出し、底部２２１の長手方向Ｘに沿って設けられた１つの下側壁部９２３を有する。光源取付部材９２０は、下側壁部９２３を有することで長手方向の撓みを抑制して剛性を確保することができる。また、下側壁部９２３は、底部２２１を介して上側壁部９２２と連続して配置されている。そのため、光源取付部材９２０は、上側壁部９２２と、底部２２１と、下側壁部９２３との接続部が十字状に形成されている。その結果、光源取付部材９２０は、さらに長手方向の撓みを抑制して剛性を確保することができる。
【０１２４】
また、光源取付部材９２０は、上側壁部９２２の一部に、切り欠き部９２４が形成されている。光源取付部材９２０は、上側壁部９２２の一部に、切り欠き部９２４が形成されていることで、底部２２１の上面部２２１ｂ上に他の部品の配置に使用できる空間を確保することができる。
【０１２５】
また、光源取付部材９２０は、第１端縁部２２１ｆ及び第２端縁部２２１ｒが円弧状に折り返されて形成されたカール部２２１ｅを有してもよい。光源取付部材９２０は、カール部２２１ｅを設けることで底部２２１に対して、長手方向の撓みを抑制できるだけの縦弾性係数を確保することができ、光源取付部材９２０の剛性を確保することができる。また、カール部２２１ｅは円弧形状のため、円弧形状の一部がカバー部材２３０のカバー係合部２３４と当接する。その結果、光源取付部材９２０とカバー部材２３０との接触面積が少なくなり、光源取付部材９２０とカバー部材２３０との接触部から発生する膨張収縮音（きしみ音）、あるいは摺動音を低減することができる。
【０１２６】
また、光源取付部材９２０は、上面部２２１ｂと上側壁部９２２の上端部９２２ｃとの間の距離ＵＬが、下面部２２１ａと下側壁部９２３の下端部９２３ｃとの間の距離ＤＬよりも長い。光源取付部材９２０は、上側壁部９２２の距離ＵＬが下側壁部９２３の距離ＤＬよりも長いため、発光体２１０の発する光を遮ることなく、光源取付部材９２０の長手方向の撓みを抑制して剛性を確保することができる。
【０１２７】
また、光源取付部材９２０は、底部２２１の短手方向Ｙにおいて、下側壁部９２３の両側の下面部２２１ａに発光体２１０が配置される。そのため、発光体２１０から発する光を遮ることなく下側壁部９２３により光源取付部材９２０の長手方向の撓みを抑制して剛性を確保することができる。
【０１２８】
また、照明装置１は、光源取付部材９２０を有しているので、長手方向の撓みを抑制して剛性を確保することができると共に、軽量化を図る事ができる。また、照明装置１は、光源取付部材９２０を有しているので、従来技術のように底面部の長手方向側面の両辺に側壁を有する構成よりも材料費を抑制する事ができる。さらに、照明装置１は、光源取付部材９２０を有しているので、従来技術のように底面部の長手方向側面の両辺に側壁を有する構成よりも、加工工程を少なくできるので加工費及び加工時間を抑制することができる。また、照明装置１は、光源取付部材９２０を有しているので、カバー部材２３０のカバー係合部２３４の構造を対称にすることができ、カバー部材２３０の成形性を改善することができる。また、照明装置１は、光源取付部材９２０を有しているので、作業者は、フレームの側壁に遮られることなく配線及び部品を取り付けることができ、組立時の作業性が向上する。また、照明装置１は、光源取付部材９２０を有しているので、光源取付部材９２０において他の部品の配置に使用できる空間を確保することができる。また、照明装置１は、光源取付部材９２０を有しているので、光源取付部材９２０とカバー部材２３０との接触部から発生する膨張収縮音（きしみ音）、あるいは摺動音を低減することができる。
【０１２９】
なお、本発明の実施の形態は、上記実施の形態１〜７に限定されず、種々の変更を加えることができる。カール部２２１ｅ及びカール部２２２ｅの折り返しは、上側壁部２２２の端縁部が電源装置２５０が配置されている上面部２２１ｂ側に折り返される内巻き形状に形成されてもよい。カバー部材２３０は、カバー係合部２３４において、立設部２３４ｂ１の代わりに平板部２３４ａを形成してもよい。光源取付部材２２０は、底部２２１において光源ユニット２００が配置されている側に膨出する膨出部２２５を有しているが、膨出部２２５の代わりに長手方向に延設されたリブを下面部２２１ａに設けてもよい。
【符号の説明】
【０１３０】
１  照明装置、１１ａ  底部、１００  装置本体、１１０  取付部、１１１  収容凹部、１１１ａ  底部、１１１ａａ  電源引込孔、１１１ａｂ  固定孔、１１１ｂ  側部、１１１ｃ  開口、１１２  鍔部、１１３  傾斜部、１１５  ボルト、１２０  側板、１２１  側板本体部、１２２  側板鍔部、１３０  端子台、１３１  端子台本体部、１３２  端子台接続部、１３２ａ  端子台電線、１３２ｂ  端子台コネクタ、１４０  バネ、１４１  バネ固定部、１４１ａ  貫通孔部、１４２  バネ円弧部、１４３  バネ先端部、２００  光源ユニット、２１０  発光体、２１１  基板、２１２  発光素子、２２０  光源取付部材、２２０Ａ  光源取付部材、２２１  底部、２２１Ａ  底部、２２１ａ  下面部、２２１ｂ  上面部、２２１ｅ  カール部、２２１ｆ  第１端縁部、２２１ｒ  第２端縁部、２２２  上側壁部、２２２ｃ  上端部、２２２ｅ  カール部、２２５  膨出部、２３０  カバー部材、２３１  カバー正面部、２３２  カバー側面部、２３３  カバー底部、２３４  カバー係合部、２３４ａ  平板部、２３４ｂ１  立設部、２３４ｂ２  曲折部、２４０  蓋体、２５０  電源装置、２６０  連結金具、２６１  金具固定部、２６２  バネ連結部、２６２ａ  連結開口部、３２０  光源取付部材、３２２  上側壁部、４２０  光源取付部材、４２２  上側壁部、４２２ｃ  上端部、４２３  下側壁部、４２３ｃ  下端部、５２０  光源取付部材、５２２  上側壁部、５２２ｃ  上端部、５２３  下側壁部、５２３ｃ  下端部、６２０  光源取付部材、６２２  上側壁部、６２２ｃ  上端部、６２３  内側壁部、７２０  光源取付部材、７２２  上側壁部、７２２ｃ  上端部、７２３  下側壁部、７２３ｃ  下端部、８２０  光源取付部材、８２１ｃ  中央、８２２  上側壁部、８２３  切り欠き部、９２０  光源取付部材、９２１ｃ  中央、９２２  上側壁部、９２２ｃ  上端部、９２３  下側壁部、９２３ｃ  下端部、９２４  切り欠き部。
【図１】
2019008890.tif 000003
【図２】
2019008890.tif 000004
【図３】
2019008890.tif 000005
【図４】
2019008890.tif 000006
【図５】
2019008890.tif 000007
【図６】
2019008890.tif 000008
【図７】
2019008890.tif 000009
【図８】
2019008890.tif 000010
【図９】
2019008890.tif 000011
【図１０】
2019008890.tif 000012
【図１１】
2019008890.tif 000013
【図１２】
2019008890.tif 000014
【図１３】
2019008890.tif 000015
【図１４】
2019008890.tif 000016
【図１５】
2019008890.tif 000017
【図１６】
2019008890.tif 000018
【図１７】
2019008890.tif 000019
【図１８】
2019008890.tif 000020
【図１９】
2019008890.tif 000021
【図２０】
2019008890.tif 000022
【図２１】
2019008890.tif 000023
【図２２】
2019008890.tif 000024
【図２３】
2019008890.tif 000025